(57)【要約】      （修正有）【課題】ディスクトレーが開いた後にディスクトレーが下向きに傾斜することによって、ディスクをディスクトレーに載せたり取り外したりする場合に、ユーザーがその動作を行い易くできる光ディスク装置を提供する。【解決手段】シャーシ１の側壁にレール２、３が設けられ、ディスク７を載せたディスクトレー４の側壁にレール２、３に嵌まる突起５、６が設けられて、ディスクトレー４がシャーシ１のレール２、３に沿って出し入れされるようにし、レール２、３がシャーシ１の側壁に上下２列設けられると共にディスクトレー４の側壁に上下２列のレール２、３に嵌まる上下２つの突起５、６が設けられ、下側のレール３が先端になるにつれて下向きに傾斜して設けられ、ディスクトレー４が引き出されるときに、ディスクトレー４の突起６が下向きに移動し、ディスクトレー４が下向きに傾斜して引き出されるようにした。【選択図】図１
2008108341.tif 000002
【特許請求の範囲】
【請求項１】
シャーシの側壁にレールが設けられ、ディスクを載せたディスクトレーの側壁に前記レールに嵌まる突起が設けられて、前記ディスクトレーが前記シャーシのレールに沿って出し入れされるようにした光ディスク装置において、前記レールが前記シャーシの側壁に上下２列設けられると共に前記ディスクトレーの側壁に前記上下２列のレールに嵌まる上下２つの突起が設けられ、下側のレールが先端になるにつれて下向きに傾斜して設けられ、前記ディスクトレーが引き出されるときに、前記ディスクトレーの突起が下向きに移動することにより、前記ディスクトレーが下向きに傾斜して引き出されるように構成したことを特徴とする光ディスク装置。
【請求項２】
シャーシの側壁にレールが設けられ、ディスクを載せたディスクトレーの側壁に前記レールに嵌まる突起が設けられて、前記ディスクトレーが前記シャーシのレールに沿って出し入れされるようにした光ディスク装置において、前記シャーシと前記ディスクトレーとの間に、前記レールと突起とを含むトレイ傾斜排出機構が設けられていることを特徴とする光ディスク装置。
【請求項３】
前記トレイ傾斜排出機構は、前記シャーシの側壁に傾斜して設けられたレールと、このレールに嵌められた前記ディスクトレーの突起とから構成されている請求項２に記載の光ディスク装置。
【請求項４】
前記ディスクトレーには、前記ディスクトレーが引き出されたときに前記ディスクが斜め下向きに移動することを防止するための滑り止め部材が貼着されている請求項２又は３に記載の光ディスク装置。
【請求項５】
前記ディスクトレーには、前記ディスクトレーが斜め下向きに引き出されたときに、このディスクトレーに載せられた前記ディスクの飛び出しを防ぐための直角あるいは鋭角の飛び出し防止壁が形成されている請求項２乃至４のいずれかに記載の光ディスク装置。
【発明の詳細な説明】
【技術分野】
【０００１】
本発明は、シャーシの側壁にレールが設けられ、ディスクを載せたディスクトレーの側壁に前記レールに嵌まる突起が設けられて、前記ディスクトレーが前記シャーシのレールに沿って出し入れされるようにした光ディスク装置に関するものである。
【背景技術】
【０００２】
従来の光ディスク装置は、そのディスクトレーが水平方向に開閉するが、ディスクをディスクトレーに載せたり取り外したりする場合に手首の角度とずれているためにディスクを載せたり取り外したりすることが行い難く不便であるという問題があった。
【０００３】
第１の従来技術を図５、図６に示す。ディスクトレー１０３がディスク装置本体１０２内にローディグされた時には、ガイド機構１０８によってディスクトレー１０３をほぼ水平状態にし、ディスクトレー１０３がディスク装置本体１０２外にイジェクトされるに従ってガイド機構１０８によってディスクトレー１０３を前方上方に傾斜させるようにガイドさせる。（例えば、特許文献１参照）
ところが、これにおいては、ディスクトレー１０３を前方上方に傾斜させるものであって、ディスクトレー１０３を下向きに傾斜させるものではなく、ディスクトレー１０３が前方上方に傾斜させるものであるから、このディスクトレー１０３に載せられたディスク１０１を取り出し難いという問題があった。
【特許文献１】特開平７−１４２７７号公報
【発明の開示】
【発明が解決しようとする課題】
【０００４】
本発明は、上記従来の問題に鑑みてなされたものであって、ディスクトレーが開いた後にディスクトレーが下向きに傾斜することによって、ディスクをディスクトレーに載せたり取り外したりする場合に、ユーザーがその動作を行い易くできる光ディスク装置を提供することを目的としている。
【課題を解決するための手段】
【０００５】
本発明は、上記課題を解決するために提案されたものであって、請求項１に記載の発明は、シャーシの側壁にレールが設けられ、ディスクを載せたディスクトレーの側壁に前記レールに嵌まる突起が設けられて、前記ディスクトレーが前記シャーシのレールに沿って出し入れされるようにした光ディスク装置において、前記レールが前記シャーシの側壁に上下２列設けられると共に前記ディスクトレーの側壁に前記上下２列のレールに嵌まる上下２つの突起が設けられ、下側のレールが先端になるにつれて下向きに傾斜して設けられ、前記ディスクトレーが引き出されるときに、前記ディスクトレーの突起が下向きに移動することにより、前記ディスクトレーが下向きに傾斜して引き出されるように構成したことを特徴としている。
【０００６】
請求項２に記載の発明は、シャーシの側壁にレールが設けられ、ディスクを載せたディスクトレーの側壁に前記レールに嵌まる突起が設けられて、前記ディスクトレーが前記シャーシのレールに沿って出し入れされるようにした光ディスク装置において、前記シャーシと前記ディスクトレーとの間に、前記レールと突起とを含むトレイ傾斜排出機構が設けられていることを特徴としている。
【０００７】
請求項３に記載の発明は、請求項２に記載の発明において、前記トレイ傾斜排出機構は、前記シャーシの側壁に傾斜して設けられたレールと、このレールに嵌められた前記ディスクトレーの突起とから構成されている。
【０００８】
請求項４に記載の発明は、請求項２又は３に記載の発明において、前記ディスクトレーには、前記ディスクトレーが引き出されたときに前記ディスクが斜め下向きに移動することを防止するための滑り止め部材が貼着されている。
【０００９】
請求項５に記載の発明は、請求項２乃至４のいずれかに記載の発明において、前記ディスクトレーには、前記ディスクトレーが斜め下向きに引き出されたときに、このディスクトレーに載せられた前記ディスクの飛び出しを防ぐための直角あるいは鋭角の飛び出し防止壁が形成されている。
【発明の効果】
【００１０】
請求項１に記載の発明によれば、ディスクトレーが引き出されるときに、ディスクトレーの突起がシャーシの下側のレールに沿って移動して、ディスクトレーが下向きに傾斜して引き出されるから、ディスクをディスクトレーに載せたり取り外したりする場合に、ユーザーがその動作を行い易くできる。また、ディスクトレーの下側のレールが先端になるにつれて下向きに傾斜して設けられている構造であるから、構造が簡単である。
【００１１】
請求項２に記載の発明によれば、シャーシとディスクトレーとの間に、レールと突起とを含むトレイ傾斜排出機構が設けられているから、このトレイ傾斜排出機構によって、ディスクトレーが開いた後にディスクトレーが下向きに傾斜するので、ディスクをディスクトレーに載せたり取り外したりする場合に、ユーザーがその動作を行い易くできる
請求項３に記載の発明によれば、トレイ傾斜排出機構が、シャーシの側壁に傾斜して設けられたレールと、このレールに嵌められたディスクトレーの突起とで構成されているから、ディスクトレーを引き出すときに、突起が傾斜して設けられたレールに沿って移動することにより、このディスクトレーを下向きに傾斜して引き出すことができる。
【００１２】
請求項４に記載の発明によれば、ディスクトレーに貼着された滑り止め部材によって、ディスクトレーが下向きに傾斜して引き出されたときに、ディスクが下向きに移動することを防ぐことができる。
【００１３】
請求項５に記載の発明によれば、ディスクトレーが下向きに傾斜して引き出されたときに、ディスクが斜め下向きに移動しても、ディスクトレーに形成された直角あるいは鋭角の飛び出し防止壁にディスクが受け止められるから、ディスクがディスクトレーから飛び出すことを防ぐことができる。
【発明を実施するための最良の形態】
【００１４】
以下、本発明に係る光ディスク装置の実施の形態について、図を参照しつつ説明する。
【００１５】
図１は本発明の第１実施形態の光ディスク装置を示し、（ａ）はディスクトレーがシャーシ内に入り込んだ状態の概略側面図、（ｂ）はディスクトレーを斜め下向きに引き出した状態の概略側面図、図２はディスクトレーとこのディスクトレーに載せられたディスクとを示す拡大概略側面図である。
【００１６】
この第１実施形態の光ディスク装置は、図１（ａ）（ｂ）に示すように、シャーシ１の側壁に上下２列のレール２、３が設けられ、ディスクトレー４の側壁に、上下２列のレール２、３に移動可能に嵌まる上下２つの突起５、６が設けられている。下側のレール３は、長手方向途中部分から先端になるにつれて下向きに傾斜するように設けられている。また、図２に示すように、ディスクトレー４の下面におけるディスク７が載せられる箇所に複数のゴム等からなる滑り止め部材８が貼着されており、更に、ディスクトレー４の先端壁にディスク７の飛び出しを防止するための鋭角の飛び出し防止壁９が形成されている。
【００１７】
図１（ａ）に示すように、ディスクトレー４がシャーシ１内に位置している状態から、図１（ｂ）に示すように、ディスクトレー４が引き出されると、ディスクトレー４の下側の突起６がシャーシ１の下向きに傾斜した下側のレール３に案内されて、ディスクトレー４が斜め下向きに傾斜した状態になる。
【００１８】
従って、この第１実施形態によれば、ディスクトレー４の下側の突起６がシャーシ１の下側のレール３に沿って移動して、ディスクトレー４が下向きに傾斜して引き出されるから、ディスク７をディスクトレー４に載せたり取り外したりする場合に、ユーザーがその動作を行い易くできる。更に、ディスクトレー４の下側のレール３が先端になるにつれて下向きに傾斜して設けられている構造であるから、構造が簡単である。また、ディスクトレー４の下面に貼着された滑り止め部材８によって、ディスクトレー４が下向きに傾斜して引き出されたときに、ディスク７が下向きに移動することを防ぐことができる。更に、ディスクトレー４が下向きに傾斜して引き出されたときに、ディスク７が斜め下向きに移動しても、ディスクトレー４に形成された鋭角の飛び出し防止壁９にディスク７が受け止められるから、ディスク７がディスクトレー４から飛び出すことを防ぐことができる。尚、飛び出し防止壁９は直角に形成されていてもよい。
【００１９】
図３は第２実施形態の光ディスク装置におけるディスクトレーがシャーシの内部に位置する状態の概略側面図、図４は図３の状態からディスクトレーを斜め下向きに引き出した状態の概略側面図である。
【００２０】
この第２実施形態の光ディスク装置は、図３に示すように、シャーシ１Ａの側壁にレール１０が傾斜して設けられ、このレール１０にディスクトレー４Ａの突起１１が移動可能に嵌められている。このシャーシ１Ａ内には、ターンテーブル１２を回転するモータ１３がドライブシャーシ１４の先端に取り付けられており、ドライブシャシー１４の円弧状の上向きの移動によって、ディスクトレー４Ａに載せられたディスク７がターンテーブル１２とクランプ１５とでチャッキングされるようになっている。図４に示すように、ディスクトレー４Ａは斜め下向きに移動してシャーシ１Ａの開口部１ａから外側に移動する。このとき、ディスク７はディスクトレー４Ａの斜め下向きの移動によって、斜め下向きの姿勢となるようにしている。
【００２１】
従って、この第２実施形態によれば、ディスクトレー４Ａを引き出すときに、突起１１が傾斜して設けられたレール１０に沿って移動することにより、このディスクトレー４Ａを下向きに傾斜して引き出すことができるから、ディスク７をディスクトレー４Ａに載せたり取り外したりする場合に、ユーザーがその動作を行い易くできる。
【図面の簡単な説明】
【００２２】
【図１】本発明の第１実施形態の光ディスク装置を示し、（ａ）はディスクトレーがシャーシ内に入り込んだ状態の概略側面図、（ｂ）はディスクトレーを斜め下向きに引き出した状態の概略側面図である。
【図２】ディスクトレーとこのディスクトレーに載せられたディスクとを示す拡大概略側面図である。
【図３】第２実施形態の光ディスク装置におけるディスクトレーがシャーシの内部に位置する状態の概略側面図である。
【図４】図３の状態からディスクトレーを斜め下向きに引き出した状態の概略側面図である。
【図５】従来のディスク装置における部分断面側面図である。
【図６】同ディスク装置のイジェクト状態の斜視図である。
【符号の説明】
【００２３】
１      シャーシ
１Ａ    シャーシ
１ａ    開口部
２      レール
３      レール
４      ディスクトレー
４Ａ    ディスクトレー
５      突起
６      突起
７      ディスク
８      滑り止め部材
９      飛び出し防止壁
１０    レール
１１    突起
１２    ターンテーブル
１３    モータ
１４    ドライブシャーシ
１５    クランプ
【図１】
2008108341.tif 000003
【図２】
2008108341.tif 000004
【図３】
2008108341.tif 000005
【図４】
2008108341.tif 000006
【図５】
2008108341.tif 000007
【図６】
2008108341.tif 000008